(57)【要約】【課題】除氷運転時間が短い場合であっても、水皿に対する融氷水の供給を確実に行なうようにする。【解決手段】除氷運転開始から給水待機時間Ｔ１が経過する前に、水皿３３が開放位置に到達したことを切換えスイッチＳが検知したときには、給水待機時間Ｔ１の経過を待たずに給水弁５２を開放制御して、水皿３３上への融氷水の供給を開始する。また、給水弁５２を開放制御した時点で、製氷室３１での除氷が完了していることを製氷室温度測定手段６０が検知しているときには、水皿３３が開放位置に到達したことを切換えスイッチＳが検出してから遅延時間Ｔ３が経過した時点で該給水弁５２の閉鎖制御を行ない、水皿３３上への融氷水の供給を停止する。【選択図】図１
2008298414.tif 000002
【特許請求の範囲】
【請求項１】
下方に開口する製氷小室(32)を有する製氷室(31)と、該製氷室(31)を下方から開閉自在に閉成する水皿(33)とを備え、電源を投入すると先ず除氷運転を実行して前記水皿(33)を開放位置に向け開放し、除氷運転開始から給水待機時間(T1)が経過したら給水弁(52)を開放制御して、給水時間(T2)に亘って融氷水を前記水皿(33)上に供給するようにした自動製氷機の運転方法において、
除氷運転開始から前記給水待機時間(T1)が経過する前に前記水皿(33)が開放位置に到達したことを水皿開放検知手段(S)が検知したときには、給水待機時間(T1)の経過を待たずに前記給水弁(52)を開放制御して水皿(33)上へ融氷水を供給するようにした
ことを特徴とする自動製氷機の運転方法。
【請求項２】
前記給水弁(52)を開放制御した時点で、前記製氷室(31)での除氷が完了していることを除氷完了検知手段(60)が検知しているときには、前記水皿(33)が開放位置に到達してから遅延時間(T3)が経過した時点で該給水弁(52)の閉成制御を行なうようにした請求項１記載の自動製氷機の運転方法。
【発明の詳細な説明】
【技術分野】
【０００１】
本発明は、自動製氷機の運転方法に関し、更に詳細には、電源を投入すると先ず除氷運転を実行して水皿を開放位置に向けて開放すると共に、この水皿上に融氷水を供給するようにした自動製氷機の運転方法に関するものである。
【背景技術】
【０００２】
製氷室に下向きに開口するよう設けた多数の製氷小室に製氷水を下方から噴射供給して、ブロック状の角氷(氷塊)を連続的に製造する噴射式の自動製氷機が広く実施に供されている。このタイプの自動製氷機１０は、例えば図５に示すように、略箱形をなす筐体１１の内部を上下に区画して、上方が貯氷室１２、下方が機械室１３として構成されている。貯氷室１２には、内部上方に製氷機構３０が配設され、該製氷機構３０の製氷室３１で生成された角氷Ｒは、落下して貯氷室１２内に貯留されるようになっている。また機械室１３には、冷凍機構２０を構成する圧縮機２１、凝縮器２２、冷却ファンモータ２３および膨張手段(図示せず)等の部品が配設され、該冷凍機構２０を構成する蒸発管２５が前記製氷室３１の上面に配設されている。
【０００３】
前記製氷機構３０は、図６に示すように、下向きに開口した製氷小室３２を多数形成した前記製氷室３１と、水皿３３と、水皿３３の下部に配設された製氷水タンク３４と、これら水皿３３および製氷水タンク３４を一体的に傾動させる水皿開閉機構３５等から構成される。前記水皿３３は、図６における左側端部に取付けた支持アーム３６が、筐体１１に架設した取付部材３７のブラケット３７Ａに枢支軸３８を介して枢支され、同図における右側端部近傍が、水皿開閉機構３５を構成するカムアーム３９にコイルスプリング４０を介して接続されている。前記製氷水タンク３４は、給水部５０から供給される製氷水を貯留し、水皿３３に設けた噴射孔４３を介して製氷室３１の各製氷小室３２へ製氷水を噴射供給する送水ポンプ４６が、該製氷水タンク３４の最深部分である左側前壁に配設されている。
【０００４】
水皿開閉機構３５の前記カムアーム３９は、取付部材３７に固定されたアクチュエータモータ４１の回転軸に取付けられ、コイルスプリング４０が係止される第１アーム３９Ａと、回転軸を挟んで該第１アーム３９Ａから反対方向へ延出する第２アーム３９Ｂとを有し、全体的には「へ」字形を呈している。そしてカムアーム３９は、アクチュエータモータ４１の作動により、第１アーム３９Ａが上方へ延出した第１姿勢(図６に実線表示)および第２アーム３９Ｂが上方へ延出した第２姿勢(図６に２点鎖線表示)の間を回動する。そして、カムアーム３９が第１姿勢に回動すると、水皿３３が閉成位置に到来して製氷室３１を閉成し、カムアーム３９が第２姿勢に回動すると、水皿３３が正面右側へ３０度程度に傾斜した開放位置に到来して製氷室３１を開放するよう構成されている。なお、符号Ｓは、水皿開放検知手段としての切換えスイッチであって、カムアーム３９が第１姿勢に回動した際には第１アーム３９Ａが該切換えスイッチＳを作動させ、カムアーム３９が第２姿勢に回動した際には第２アーム３９Ｂが該切換えスイッチＳを作動させるよう構成されている。
【０００５】
前記給水部５０は、筐体１１の左壁における前部上方に配設され、図示しない上水道等の給水源に接続された給水管５１と、該給水管５１の途中に配設されて図示しない制御手段により開閉制御される給水弁５２とから構成され、給水管５１の出口部が前記水皿３３(製氷水タンク３４)の上方に臨んでいる。そして、製氷運転時に給水弁５２を開放制御すると給水管５１からの水道水が製氷水として供給され、除氷運転時に給水弁５２を開放制御すると給水管５１からの水道水が融氷水として供給される。
【０００６】
前述のように構成された自動製氷機１０では、電源を投入して該自動製氷機１０を起動すると、先ず除氷運転を実行するようになっている。このように電源投入時に除氷運転を行なう第１の理由は、自動製氷機１０の運転を停止するタイミングが、製氷運転中の場合があるからである。すなわち、製氷運転中に自動製氷機１０の運転を停止した場合では、水皿３３が閉成位置で停止して製氷水タンク３４内に製氷水が貯留された状態となるため、次に自動製氷機１０を起動した際に先ず除氷運転を行なうことで製氷水タンク３４内の古い製氷水を全て排出し、新しく供給される新鮮な水道水を製氷水として供給したもとで製氷を行なうようにするためである。また、除氷運転を行なう第２の理由は、製氷運転中に自動製氷機１０の運転が停止した場合には、製氷室３１の各製氷小室３２内に生成途中の氷塊または生成完了した角氷Ｒが存在しているため、次に自動製氷機１０を起動した際に先ず除氷運転を行なって当該の氷塊または角氷Ｒを除氷することで、異形氷塊(角形以外の形状の氷塊)が生成されるのを防止するためである。
【０００７】
図７は、従来の自動製氷機の運転方法における除氷運転の内容を概略的に示したフローチャートである。電源を投入して自動製氷機１０を起動すると、図示しない制御手段により、先ず除氷運転が開始される(ステップＳ１)。除氷運転の開始に伴い、冷凍機構２０における圧縮機２１が作動すると共に、該冷凍機構２０におけるホットガス弁(図示せず)を開放して製氷室３１にホットガスを供給する。また、水皿開閉機構３５のアクチュエータモータ４１を作動して、製氷室３１を下方から閉成していた水皿３３を閉成位置から開放位置に向け開放する。更に、後述する給水待機時間Ｔ１および給水時間Ｔ２を測定するためタイマ手段がカウントを開始する。
【０００８】
そして、除氷運転開始から所定の時間(以降「給水待機時間Ｔ１」という)が経過したら(ステップＳ２)、給水弁５２を開放制御して水皿３３上へ融氷水(水道水)を供給し(ステップＳ３)、水皿３３上に付着している氷片を融解させながら除去する。次いで、給水弁５２の開放制御から所定の時間(以降「給水時間Ｔ２」という)が経過したら(ステップＳ４)、給水弁５２を閉成制御して水皿３３に対する融氷水の供給を停止する(ステップＳ５)。その後、ホットガスにより加熱した製氷室３１から全ての角氷Ｒの放出が完了して、該製氷室３１での除氷が完了したら(ステップＳ６)、除氷運転が完了して製氷運転に移行する(ステップＳ７)。そして、製氷運転により製氷室３１の各製氷小室３２に角氷Ｒが生成されたら、ステップＳ１に戻って除氷運転が実行される。
【０００９】
ここで、除氷運転において前記給水待機時間Ｔ１を設定するのは、開放位置に向けて傾斜状態となっている水皿３３上に融氷水を供給するためである。すなわち、製氷運転が完了して除氷運転が開始した時点では、水皿３３が閉成位置にあって製氷室３１に近接しているため、除氷運転開始と同時に融氷水を供給すると該融氷水が角氷Ｒに付着する不都合が発生してしまう。従って、水皿３３が閉成位置から開放位置に向けて移動し始めて製氷室３１から適宜離間した時点で融氷水を供給することで、融氷水が角氷Ｒに付着する不都合を防止できる。このような自動製氷機の運転方法に関しては、例えば特許文献１に開示されている。
【特許文献１】特開昭６２−８４２７５号公報
【発明の開示】
【発明が解決しようとする課題】
【００１０】
ところで、(ａ)停電の場合、(ｂ)電源を切った後に長時間に亘り運転停止した場合、(ｃ)作業者が誤って電源を切った場合、等では、自動製氷機１０の運転が停止するタイミングが一定ではなく、前述した製氷運転中に停止する場合もあるし、除氷運転中に停止する場合もあり得る。すなわち、電源を切ることで自動製氷機１０の運転が停止した場合には、閉成位置、開放途中位置、開放位置のどの位置で水皿３３が停止するかは不明である。従って、次回に電源を投入して自動製氷機１０を起動すると、水皿３３は前回の運転停止時に停止した位置から開放位置に向けて移動するため、電源投入時点(除氷運転開始時点)から水皿３３が開放位置に到達するまでの時間は、自動製氷機１０を起動する度に異なることになる。すなわち、閉成位置に近い開放途中位置で停止していた場合は、除氷運転開始時点から開放位置に到達するまでの時間が長くなり、開放位置に近い開放途中位置で停止していた場合は、除氷運転開始時点から開放位置に到達するまでの時間が短くなる。
【００１１】
しかし、従来の自動製氷機の運転方法では、電源投入時点(除氷運転開始時点)における水皿３３の停止位置を考慮したものとなっていなかった。すなわち、前記給水待機時間Ｔ１および給水時間Ｔ２は、製氷運転後に実行される通常の除氷運転(除氷運転の開始時点において水皿３３が閉成位置に臨んでいる)を考慮して設定されたものであった。このため、水皿３３が開放途中位置または開放位置に停止していた場合には、給水待機時間Ｔ１が経過する前に水皿３３が開放位置に到達することもあり得る。ところが、従来の自動製氷機の運転方法では、給水待機時間Ｔ１が経過する前に水皿３３が開放位置に到達したとしても、給水待機時間Ｔ１が経過するまでは融氷水の供給が実行されないようになっていた。
【００１２】
一方、自動製氷機１０の停止中には製氷室３１で生成された角氷Ｒの自然融解が進行しているため、給水待機時間Ｔ１が経過する前に水皿３３が開放位置に到達した場合には、融氷水の供給前に角氷Ｒの放出が起こることもあり得る。このような場合には、融氷水により除去されていない氷片が水皿３３上に付着しているため、放出された角氷Ｒが氷片に引っ掛かって水皿３３上に留まる場合がある。しかも、角氷Ｒが放出されると製氷室３１が除氷完了温度まで急激に上昇するため、角氷Ｒが水皿３３上に留まった状態で除氷運転が完了してしまう。従って、除氷運転から製氷運転に移行すると、アクチュエータモータ４１が逆作動してカムアーム３９が第２姿勢から第１姿勢へ回動することで水皿３３を閉成位置に姿勢変位させるようになるが、水皿３３の上面に引っ掛かっていた角氷Ｒが該水皿３３と製氷室３１との間に挟まれる「氷噛み」が発生して、製氷機構３０の故障を誘発するおそれがあった。
【００１３】
更に、例えば水皿３３が開放位置に停止していた時に自動製氷機１０の運転を停止し、長時間に亘って停止させた後に電源を投入した場合では、除氷運転の開始と同時に製氷室３１での除氷が完了して当該除氷運転が完了することになり、給水部５０の給水管５１内に停留していた古い水道水が融氷水として供給されないまま製氷運転に移行することとなる。すなわち、水皿３３が開放位置に停止していて、実質的に除氷運転が実施されないまま製氷運転に移行した際には、給水管５１内の古い水道水が、製氷水として供給されて角氷Ｒの生成に供される不都合が発生してしまう。
【００１４】
そこで本発明では、前述した従来の技術に内在している課題に鑑み、これを好適に解決するべく提案されたものであって、自動製氷機の起動時に除氷運転を行なうに際し、除氷運転時間が短い場合であっても水皿に対する融氷水の供給を確実に行なうようにした自動製氷機の運転方法を提供することを目的とする。
【課題を解決するための手段】
【００１５】
前記課題を解決し、所期の目的を達成するため、本願の請求項１に係る発明は、
下方に開口する製氷小室を有する製氷室と、該製氷室を下方から開閉自在に閉成する水皿とを備え、電源を投入すると先ず除氷運転を実行して前記水皿を開放位置に向け開放し、除氷運転開始から給水待機時間が経過したら給水弁を開放制御して、給水時間に亘って融氷水を前記水皿上に供給するようにした自動製氷機の運転方法において、
除氷運転開始から前記給水待機時間が経過する前に前記水皿が開放位置に到達したことを水皿開放検知手段が検知したときには、給水待機時間の経過を待たずに前記給水弁を開放制御して水皿上へ融氷水を供給するようにしたことを要旨とする。
【００１６】
従って、請求項１の発明によれば、自動製氷機の起動後に実行される除氷運転では、起動時における水皿の停止位置に関係なく、水皿が開放位置に到達した際には融氷水を供給するようにしたので、製氷室に氷塊が生成されていた場合であっても、該氷塊が放出される前に水皿上に付着していた氷片を融解させて除去することができる。従って、水皿と製氷室との間に氷塊が挟まれる「氷噛み」の発生を好適に防止することができ、氷噛みによる自動製氷機の故障等を防止し得る。
【００１７】
請求項２に係る発明では、前記給水弁を開放制御した時点で前記製氷室での除氷が完了していることを除氷完了検知手段が検知しているときには、前記水皿が開放位置に到達してから遅延時間が経過した時点で該給水弁の閉成制御を行なうようにしたことを要旨とする。
従って、請求項２の発明によれば、自動製氷機の起動時に、水皿が開放位置に停止していて、かつ製氷室での除氷が完了していたとしても、遅延時間が経過するまで融氷水を供給するので、給水部に停留していた水道水を排出することができ、氷塊の生成には常に新鮮な水道水が製氷水として用いられる。また、長時間に亘って運転停止していた後に自動製氷機を起動させた場合には、融氷水として供給された水道水が水皿上面や製氷水タンク内に供給され、これら水皿および製氷水タンクの洗浄が図られる。
【発明の効果】
【００１８】
本発明に係る自動製氷機の運転方法によれば、自動製氷機の起動時に除氷運転を行なうに際し、除氷運転時間が短い場合であっても水皿に対する融氷水の供給を確実に行ない得るので、氷噛み等の不都合を好適に防止し得る。
【発明を実施するための最良の形態】
【００１９】
次に、本発明に係る自動製氷機の運転方法につき、好適な実施例を挙げて、添付図面を参照しながら以下説明する。なお、実施例の自動製氷機１０は、主要部分の基本的な構成は、図５および図６に示した従来の自動製氷機１０と同一である。従って、説明の便宜上、図５および図６に示した自動製氷機１０の構成要素と同一の要素については同一の符号を使用し、自動製氷機１０の運転方法に関連する構成要素についてのみ説明する。
【実施例】
【００２０】
実施例に係る自動製氷機１０は、図１に示すように、角氷(氷塊)Ｒを生成する製氷機構３０と、製氷機構３０の製氷室３１を冷却・加熱する冷凍機構２０とを備え、図２に示した制御手段Ｃにより製氷機全体の制御が図られる。前記冷凍機構２０は、圧縮機２１、凝縮器２２、冷却ファンモータ２３、膨張手段２４および前記蒸発管２５を冷媒配管２７で順次連結した冷凍回路２６を備え、更に除氷運転時に蒸発管２５へホットガスを供給するバイパス回路２８を備えている。このバイパス回路２８は、製氷運転時にはホットガス弁２９Ａを閉成制御してバイパス管２９の管路を閉成し、除氷運転時にはホットガス弁２９Ａを開放制御してバイパス管２９の管路を開放して、圧縮機２１から蒸発管２５へのホットガスの流通を許容するよう構成される。
【００２１】
製氷機構３０における製氷室３１の所要位置には、該製氷室３１の温度を検知する製氷室温度測定手段(除氷完了検知手段)６０が配設されている。実施例の自動製氷機１０は、製氷室３１の温度に基づき、製氷完了および除氷完了を判断するように構成されている。すなわち、製氷室３１が所定の温度まで低下すると該製氷室３１の各製氷小室３２における角氷Ｒの生成が完了するため、この温度を製氷完了温度Ｈ１として設定している。また、製氷室３１が所定の温度まで上昇すると該製氷室３１から角氷Ｒの除氷(放出)が完了するため、この温度を除氷完了温度Ｈ２として設定している。なお製氷室温度測定手段６０は、例えばサーミスタ、白金測温抵抗体、熱電対等、実用に供されている既存のものが好適に実施可能である。
【００２２】
水皿開閉機構３５には、前述したように、アクチュエータモータ４１の回転軸に取付けたカムアーム３９が第１姿勢または第２姿勢に臨んだことを検知する切換えスイッチ(水皿開放検知手段)Ｓが配設されている。カムアーム３９が第１姿勢に臨んだ際には水皿３３が閉成位置に臨むよう構成されているため、切換えスイッチＳが第１アーム３９Ａの検出信号を出力した際には水皿３３が閉成位置に到達したことになる。同様に、カムアーム３９が第２姿勢に臨んだ際には水皿３３が開放位置に臨むよう構成されているため、切換えスイッチＳが第２アーム３９Ｂの検出信号を出力した際には水皿３３が開放位置に到達したことになる。なお切換えスイッチＳは、機械的に作動するレバー式のものが採用されるが、第１アーム３９Ａと第２アーム３９Ｂのどちらが到来したかを適切に識別検知できるものであればこれに限定されない。また、第１アーム３９Ａだけを検知する第１検知部と、第２アーム３９Ｂだけを検知する第２検知部とを個別に設けるようにしてもよい。
【００２３】
前記給水部５０は、外部の給水源に接続する給水管５１の途中に配設された給水弁５２を、前記制御手段Ｃにより開放制御することで、製氷水を製氷水タンク３４へ供給し得るよう構成される。給水弁５２は、電磁弁や電動弁等が好適に採用されるが、制御手段Ｃの制御によって給水管５１を開閉し得るものであれば、これ以外のものであってもよい。また給水管５１には、供給される水道水の水温を検知する水温測定手段６２が配設されている。
【００２４】
前記制御手段Ｃには、図２に示すように、自動製氷機１０の所要位置に設置された電源スイッチ６４、製氷室３１に配設された前記製氷室温度測定手段６０、水皿開閉機構３５に配設された切換えスイッチＳ、前記給水待機時間Ｔ１、給水時間Ｔ２および後述の遅延時間Ｔ３を測定するタイマ手段６６、その他当該自動製氷機１０に装備された各種測定手段や検出手段等から所定の信号が入力される。また制御手段Ｃは、各種測定手段や検出手段からの入力信号および図示しないコントロールパネル等から入力された各種設定条件等に基づき、冷凍機構２０における圧縮機２１やホットガス弁２９Ａ等の各機器、製氷機構３０における水皿開閉機構３５のアクチュエータモータ４１や送水ポンプ４６等の各機器、給水部５０における給水弁５２等の各機器の動作を総合的に制御する。
【００２５】
実施例の自動製氷機１０では、図４(ａ)に示すように、水皿３３が閉成位置から開放位置まで開放するのに要する開放所要時間Ｔを前提として、前述した給水待機時間Ｔ１および給水時間Ｔ２が設定されている。給水待機時間Ｔ１は、開放所要時間Ｔの１／２程度に設定される。例えば、開放所要時間Ｔが４０秒程度の場合では、給水待機時間Ｔ１は１５〜２０秒程度に設定される。
【００２６】
給水時間Ｔ２は、後述するように、給水部５０から融氷水として供給される水道水の水温によって変更される。すなわち、予め基準水温(例えば１３℃)を設定しておき、除氷運転開始時の融氷水(水道水)の水温が基準水温以上の場合は、給水時間Ｔ２を短い第１給水態様に設定し、除氷運転開始時の融氷水の水温が基準水温以下の場合は、給水時間Ｔ２を第１給水態様の場合より長い第２給水態様に設定する。これは、融氷水として供給される水道水の温度が高い場合は、水皿３３の上面に付着している氷片を効率的に融解させ得るため、給水時間Ｔ２を短く設定できるためである。なお、開放所要時間Ｔが前述した４０秒程度、給水待機時間Ｔ１が１５〜２０秒程度の場合では、第１給水態様における給水時間Ｔ２は７秒程度、第２給水態様における給水時間Ｔ２は１５秒程度に設定される。
【００２７】
更に、実施例の自動製氷機１０では、電源スイッチ６４により電源投入すると、先ず除氷運転を実行するようになっている。そして後述するように、除氷運転開始から給水待機時間Ｔ１が経過する前に水皿３３が開放位置に到達したことを前記切換えスイッチＳが検知したときには、給水待機時間Ｔ１の経過を待たずに給水弁５２を開放制御して、水皿３３上に融氷水を供給するようになっている。すなわち、電源を投入して除氷運転が開始した際に、水皿３３が開放途中位置または開放位置に停止していて、給水待機時間Ｔ１が経過する前に水皿３３が開放位置に到達した場合には、該水皿３３が開放位置に到達したことをカムアーム３９を介して前記切換えスイッチＳが検出すると、給水待機時間Ｔ１が経過しなくても水皿３３上に融氷水を供給するよう制御される。従って、除氷運転時間が短い場合であっても開放位置に到達した水皿３３上に融氷水を供給して、製氷室３１から放出された角氷Ｒが水皿３３上に落下する前に水皿３３上に付着形成されていた氷片を融解して除去することが可能となっている。
【００２８】
また、実施例の自動製氷機１０では、後述するように、給水弁５２を開放制御して水皿３３上に融氷水を供給している際に、製氷室３１での除氷が完了していることを製氷室温度測定手段６０が検知しているときには、水皿３３が開放位置に到達してから所定の遅延時間Ｔ３が経過した時点で給水弁５２の閉成制御を行ない、該水皿３３上への融氷水の供給を停止するようになっている。従って、例えば水皿３３が開放位置で停止していて、かつ長時間の停止により製氷室３１の温度が除氷完了温度Ｈ２以上に上昇している状態で電源を投入した際には、給水弁５２の開放制御により水皿３３上に融氷水が供給されると同時に除氷運転が完了したとしても、少なくとも遅延時間Ｔ３が経過するまでは融氷水の供給が継続される。従って、電源投入直後に除氷運転が完了した場合には、少なくても遅延時間Ｔ３が経過するまでは融氷水が供給されるため、自動製氷機１０の停止中に給水部５０の給水管５１内に停留していた水道水が該給水管５１から排出される。このように、自動製氷機１０の起動時には給水管５１内に停留していた水道水が必ず排出されるので、製氷運転に先立って水皿３３の上面を洗浄し得ると共に、給水部５０に新たに供給される新鮮な水道水が、水皿３３が閉成位置へ到達した後に該水皿３３の戻り孔を介して製氷水タンク３４へ供給され、製氷水として角氷Ｒの生成に用いられる。また、長時間に亘って運転停止していた後に自動製氷機を起動させた場合には、融氷水として供給された水道水が水皿３３上面や製氷水タンク３４内に供給され、これら水皿３３および製氷水タンク３４の洗浄を図り得るようになっている。
【００２９】
(実施例の作用)
次に、実施例に係る自動製氷機の運転方法の作用につき、図３のフローチャートおよび図４のタイミングチャートを参照して説明する。
【００３０】
実施例の自動製氷機１０は、図３に示すように、電源スイッチ６４により電源投入して当該自動製氷機１０を起動すると、図２に示した制御手段Ｃにより先ず除氷運転を実行する(ステップＳ１０)。除氷運転の開始に伴い、冷凍機構２０における圧縮機２１が作動すると共に、ホットガス弁２９Ａを開放して製氷室３１にホットガスを供給する。また、水皿開閉機構３５のアクチュエータモータ４１を作動して、製氷室３１を下方から閉成していた水皿３３を閉成位置から開放位置に向け開放する。更に、後述する給水待機時間Ｔ１、給水時間Ｔ２および遅延時間Ｔ３を測定するためタイマ手段６６がカウントを開始する。
【００３１】
次いで、給水部５０に供給される水道水(融氷水)の温度を水温測定手段６２で測定する(ステップＳ１１)。水道水(融氷水)の水温が前記基準水温(例えば１３℃)より高い場合には、ステップＳ１２に移行して、給水時間Ｔ２が短い(実施例では７秒程度)第１給水態様に設定され、水温が基準水温より低い場合は、ステップＳ２１に移行して、給水時間Ｔ２が長い(実施例では１３秒程度)第２給水態様に設定される。そして、タイマ手段６６のカウント数値により給水待機時間Ｔ１が経過したかどうか判定し(ステップＳ１３)、給水待機時間Ｔ１が経過していない場合は、ステップＳ３１に移行して、カムアーム３９の第２アーム３９Ｂに対する切換えスイッチＳの検出信号を確認し、水皿３３が開放位置に到達したかどうかを判定する。水皿３３が開放位置に到達していない場合は、ステップＳ１３に戻り、再びタイマ手段６６のカウント数値によって給水待機時間Ｔ１が経過したかどうか判定する。
【００３２】
そして、ステップＳ１３およびステップＳ３１を繰り返す過程で、水皿３３が開放位置に到達する前(切換えスイッチＳがカムアーム３９の第２アーム３９Ｂを検出する前)に給水待機時間Ｔ１が経過した場合には、ステップＳ１４に移行して、給水弁５２を開放制御して水皿３３への融氷水の供給を開始する。そして、融氷水の供給が開始されたら、ステップＳ１５に移行して、ステップＳ１１において決定された給水態様に基づく給水時間Ｔ２が経過したかどうかを判定し、給水時間Ｔ２が経過していない場合は、ステップＳ２２へ移行して、カムアーム３９の第２アーム３９Ｂに対する切換えスイッチＳの検出信号を確認し、水皿３３が開放位置に到達したかどうかを判定する。水皿３３が開放位置に到達していない場合は、ステップＳ１５に戻り、再び給水時間Ｔ２が経過したかどうかを判定する。
【００３３】
ステップＳ１５およびステップＳ２２を繰り返す過程で、水皿３３が開放位置に到達する前(切換えスイッチＳがカムアーム３９の第２アーム３９Ｂを検出する前)に給水時間Ｔ２が経過した場合には、ステップＳ１６に移行して、給水弁５２を閉成制御して水皿３３への融氷水の供給を停止する。そして、ステップＳ１７に移行して、カムアーム３９の第２アーム３９Ｂに対する切換えスイッチＳの検出信号を確認し、水皿３３が開放位置に到達したかどうかを判定し、水皿３３が開放位置に到達したら、ステップＳ１８に移行して、水皿開閉機構３５におけるアクチュエータモータ４１を停止する。次いで、ステップＳ１９に移行して、製氷室３１の温度を測定している製氷室温度測定手段６０が除氷完了温度Ｈ２を検出したかどうかを判定し、製氷室３１が除氷完了温度Ｈ２になった場合には製氷室３１においての除氷が完了したことになるので、ステップＳ２０に移行して、水皿３３が開放位置に到達した後(切換えスイッチＳがカムアーム３９の第２アーム３９Ｂを検出した後)に前記遅延時間Ｔ３が経過したかどうかを判定する。ステップＳ２０において遅延時間Ｔ３が経過したら、当該の除氷運転が完了したので従来と同様の製氷運転が開始される。
【００３４】
一方、前述したステップＳ１３およびステップＳ３１を繰り返す過程で、給水待機時間Ｔ１が経過する前に水皿３３が開放位置に到達したことを切換えスイッチＳが検知した場合は、ステップＳ３２に移行して、水皿開閉機構３５におけるアクチュエータモータ４１を停止すると共に、給水弁５２を開放制御して水皿３３上への融氷水の供給を開始する。すなわち、除氷運転開始から給水待機時間Ｔ１が経過する前に水皿３３が開放位置に到達した場合には、この給水待機時間Ｔ１の経過を待たずに給水弁５２を開放制御して、水皿３３上への融氷水の供給を開始する。
【００３５】
そして、融氷水の供給が開始されたら、ステップＳ２４に移行して、ステップＳ１１において決定された給水態様に基づく給水時間Ｔ２が経過したがどうか判定し、給水時間Ｔ２が経過していない場合は、ステップＳ２５へ移行して、製氷室温度測定手段６０により製氷室３１の温度が除氷完了温度Ｈ２になったかどうかを判定し、製氷室３１が除氷完了温度Ｈ２に達していない場合はステップＳ２４へ戻る。そして、ステップＳ２４およびステップＳ２５を繰り返す過程で、給水時間Ｔ２が経過する前に製氷室３１が除氷完了温度Ｈ２になった場合には、製氷室３１においての除氷が完了したことになるので、ステップＳ２６に移行して、水皿３３が開放位置に到達した後(切換えスイッチＳがカムアーム３９の第２アーム３９Ｂを検出した後)に遅延時間Ｔ３が経過したかどうか判定する。ステップＳ２６において遅延時間Ｔ３が経過したら、ステップＳ２７に移行して、給水弁５２を閉成制御して水皿３３上への融氷水の供給を停止する。これにより、当該の除氷運転が完了したので従来と同様の製氷運転が開始される。
【００３６】
一方、ステップＳ２４およびステップＳ２５を繰り返す過程で、製氷室３１の温度が除氷完了温度Ｈ２になる前に給水時間Ｔ２が経過した場合は、ステップＳ２８に移行して、給水弁５２の閉成制御により水皿３３への融氷水の供給を停止する。そして、ステップＳ２９に移行して、製氷室温度測定手段６０により製氷室３１の温度が除氷完了温度Ｈ２になったかどうかを判定し、製氷室３１が除氷完了温度Ｈ２になった場合には、製氷室３１においての除氷が完了したことになるので、ステップＳ３０に移行して、水皿３３が開放位置に到達した後(切換えスイッチＳがカムアーム３９の第２アーム３９Ｂを検出した後)に遅延時間Ｔ３が経過したかどうか判定する。ステップＳ３０において遅延時間Ｔ３が経過したら、当該の除氷運転が完了したので従来と同様の製氷運転が開始される。
【００３７】
また、前述したステップＳ１５およびステップＳ２２を繰り返す過程で、給水時間Ｔ２が経過する前に水皿３３が開放位置に到達した場合(切換えスイッチＳがカムアーム３９の第２アーム３９Ｂを検出した場合)は、ステップＳ２３に移行して、水皿開閉機構３５におけるアクチュエータモータ４１を停止する。そして、ステップＳ２４に移行して、ステップＳ１１において決定された給水態様に基づく給水時間Ｔ２が経過したがどうか判定し、給水時間Ｔ２が経過していない場合は、ステップＳ２５へ移行して、以降は段落〔００３５〕および段落〔００３６〕のフローを行なう。
【００３８】
前述した運転方法に基づいて除氷運転が完了したら製氷運転に移行するが、実施例の自動製氷機の運転方法における製氷運転は従来と同一であるから、ここでは製氷運転に関する説明は省略する。所定の製氷運転が実行され、製氷室３１の各製氷小室３２に角氷Ｒが生成され、該製氷室３１の温度が製氷完了温度Ｈ１に低下したことを製氷室温度測定手段６０が検知したら、製氷運転から前述した除氷運転へ切り替えられ、前述のような除氷運転が行なわれる。
【００３９】
前述した実施例の運転方法では、図４(ａ)に示すように、除氷運転開始時点において水皿３３が閉成位置にある場合は、ステップＳ１３およびステップＳ３１を繰り返す過程で給水待機時間Ｔ１が経過する前に水皿３３が開放位置に到達することはないので、給水待機時間Ｔ１が経過するとステップＳ１４へ移行して融氷水の供給を開始する。そして、ステップＳ１５およびステップＳ２２を繰り返す過程で給水時間Ｔ２が経過する前に水皿３３が開放位置に到達することはないので、給水時間Ｔ２が経過するとステップＳ１６へ移行して融氷水の供給を停止する。すなわち、自動製氷機１０の起動時に水皿３３が閉成位置にある場合に実行される除氷運転および製氷運転後に実行される除氷運転においては、ステップＳ１３以降はステップＳ１４→ステップＳ１５→ステップＳ１６→ステップＳ１７→ステップＳ１８→ステップＳ１９→ステップＳ２０の順に実行された後に、除氷運転が完了する。
【００４０】
また、前述した実施例の運転方法では、図４(ｂ)に示すように、除氷運転開始時点において水皿３３が開放途中位置にある場合で、かつ開放所要時間Ｔより給水待機時間Ｔ１が短い場合には、ステップＳ１３およびステップＳ３１を繰り返す過程で給水待機時間Ｔ１が経過する前に水皿３３が開放位置に到達するので、水皿３３が開放位置に到達すると融氷水の供給を開始する。そして、給水時間Ｔ２が経過する前に製氷室３１での除氷が完了し、かつ遅延時間Ｔ３が経過したら、融氷水の供給を停止して除氷運転が完了する。また、製氷室３１での除氷が完了する前に給水時間Ｔ２が経過したら融氷水の供給を停止し、製氷室３１での除氷が完了しかつ遅延時間Ｔ３が経過したら除氷運転が完了する。
【００４１】
なお、前述した実施例の運転方法では、図４(ｃ)に示すように、除氷運転開始時点において水皿３３が開放位置にある場合には、ステップＳ１３およびステップＳ３１を繰り返すことなく、ステップＳ３１からステップＳ３２へ移行して融氷水の供給を開始する。そして、ステップＳ２４→ステップＳ２５→ステップＳ２６へ移動し、ステップＳ２６において遅延時間Ｔ３が経過したら、融氷水の供給を停止して除氷運転が完了する。すなわち、除氷運転開始時点において水皿３３が開放位置にある場合には、給水待機時間Ｔ１が経過する前であっても、除氷運転開始と同時に融氷水の供給を開始する。そして、除氷運転開示時点で製氷室３１での除氷が完了していた場合(製氷室温度測定手段６０が除氷完了温度Ｈ２を検出していた場合)は、遅延時間Ｔ３が経過するまで融氷水の供給を継続し、遅延時間Ｔ３が経過したら融氷水の供給を停止することで、除氷運転が完了する。
【００４２】
従って、実施例の自動製氷機の運転方法では、次のような作用効果を奏する。すなわち、自動製氷機１０の起動後に実行される除氷運転では、起動時における水皿３３の停止位置に関係なく、水皿３３が開放位置に到達した際には融氷水を供給するようにしたので、製氷室３１に角氷Ｒが生成されていた場合であっても、該角氷Ｒが放出される前に水皿３３上に付着していた氷片を融解させて除去することができる。従って、角氷Ｒが放出された際には水皿３３上に氷片が付着していないため、該角氷Ｒが水皿３３上に引っ掛かることがなく、水皿３３と製氷室３１との間に角氷Ｒが挟まれる「氷噛み」の発生を好適に防止し得る。そして、角氷Ｒの氷噛みが発生しないため、氷噛みによる製氷機構３０の故障等を防止し得る。
【００４３】
また、前記給水弁５２を開放制御した時点で製氷室３１での除氷が完了している場合(製氷室温度測定手段６０が除氷完了温度Ｈ２を検出していた場合)においては、給水待機時間Ｔ１の経過を待たずに給水弁５２を開放制御して融氷水を供給すると共に、前記水皿３３が開放位置に到達してから遅延時間Ｔ３が経過するまでは融氷水の供給を行なうようにした。従って、自動製氷機１０の起動時には、水皿３３が開放位置に停止していて製氷室３１での除氷が完了していたとしても、融氷水を遅延時間Ｔ３に亘って供給するようにしたので、給水部５０に停留していた水道水を排出することができ、角氷Ｒの生成には新鮮な水道水が製氷水として用いられる。また、長時間に亘って運転停止していた後に自動製氷機を起動させた場合には、融氷水として供給された水道水が水皿３３上面や製氷水タンク３４内に供給され、これら水皿３３および製氷水タンク３４の洗浄を図り得る。
【００４４】
(変更例)
前述した実施例では、遅延時間Ｔ３を設定した場合を例示したが、水皿３３が開放位置に到達したのを検知してから(切換えスイッチＳがカムアーム３９の第２アーム３９Ｂを検知してから)、製氷室温度測定手段６０により製氷室３１が除氷完了温度Ｈ２になったのを検知するまでに要する時間が、遅延時間Ｔ３と同一またはこれ以上である場合には、遅延時間Ｔ３の設定を省略してもよい。
【００４５】
前記実施例の運転方法では、開放所要時間Ｔが４０秒程度、給水待機時間Ｔ１を１５〜２０秒程度としたが、水皿３３の開放所要時間Ｔは自動製氷機の機種毎に異なるものであるから、これら開放所要時間Ｔおよび給水待機時間Ｔ１の数値は、これに限定されない。
【００４６】
前記実施例の運転方法では、第１給水態様および第２給水態様の設定基準となる融氷水の基準水温を１３℃とした場合を例示したが、この基準水温はこれに限定されない。また、第１給水態様における給水時間Ｔ２を７秒、第２給水態様における給水時間Ｔ２を１５秒とした場合を例示したが、これら第１給水態様および第２給水態様における給水時間Ｔ２の長さはこれに限定されない。
【００４７】
本願の自動製氷機の運転方法は、製氷水タンクに貯留した製氷水を製氷室に循環供給して氷塊を生成する構成の自動製氷機が対象とされる。
【図面の簡単な説明】
【００４８】
【図１】実施例の運転方法を実施する自動製氷機の概略構成図である。
【図２】実施例の自動製氷機の制御ブロック図である。
【図３】実施例の自動製氷機の運転方法における除氷運転の内容を示すフローチャート図である。
【図４】実施例の自動製氷機の運転方法における除氷運転の内容を示すタイムチャート図であって、(ａ)は、除氷運転開始時点に水皿が閉成位置にある場合における除氷運転を示し、(ｂ)は、除氷運転開始時点に水皿が開放途中位置にある場合における除氷運転を示し、(ｃ)は、除氷運転開始時点に水皿が開放位置にある場合における除氷運転を示している。
【図５】噴射式の自動製氷機の概略構成を示す一部破断斜視図である。
【図６】図５に示した自動製氷機の製氷機構の概略図である。
【図７】従来の自動製氷機の運転方法における除氷運転の内容を示すフローチャート図である。
【符号の説明】
【００４９】
３１ 製氷室，３２ 製氷小室，３３ 水皿，５２ 給水弁
６０ 製氷室温度測定手段(除氷完了検知手段)，Ｓ 切換えスイッチ(水皿開放検知手段)
Ｔ１ 給水待機時間，Ｔ２ 給水時間，Ｔ３ 遅延時間
【図１】
2008298414.tif 000003
【図２】
2008298414.tif 000004
【図３】
2008298414.tif 000005
【図４】
2008298414.tif 000006
【図５】
2008298414.tif 000007
【図６】
2008298414.tif 000008
【図７】
2008298414.tif 000009